(57)【特許請求の範囲】
【請求項１】
励起光によって励起された黄色蛍光を発する黄色蛍光体と、
前記励起光として青色の励起用レーザー光を発する励起用レーザー光源と、
赤色レーザー光を発する赤色レーザー光源と、
前記発した黄色蛍光と前記発した赤色レーザー光とを合成した第１の合成光を生成する第１の光合成部と、
青色レーザー光を発する青色レーザー光源と、
前記合成された第１の合成光と前記発した青色レーザー光とを合成した第２の合成光を生成する第２の光合成部と、
を備え、
前記第１の光合成部は、
前記発した赤色レーザー光を合成方向へ反射するとともに、前記黄色蛍光体から前記合成方向へ照射された黄色蛍光を透過する第１のダイクロイックミラーと、
前記発した励起用レーザー光を前記黄色蛍光体へ反射するとともに、前記第１のダイクロイックミラーから前記合成方向へ前記赤色レーザー光及び前記黄色蛍光を透過する第２のダイクロイックミラーと、を備える、
光源装置。
【請求項２】
前記合成された第２の合成光に対し所定の波長の光をカットするフィルタを備える、
請求項１に記載の光源装置。
【請求項３】
前記フィルタは、前記第２の合成光の色をデジタルシネマで規定された色に補正する、
請求項２に記載の光源装置。
【請求項４】
励起光によって励起された黄色蛍光を発する黄色蛍光体と、
前記励起光として青色の励起用レーザー光を発する励起用レーザー光源と、
赤色レーザー光を発する赤色レーザー光源と、
前記発した黄色蛍光と前記発した赤色レーザー光とを合成した第１の合成光を生成する第１の光合成部と、
青色レーザー光を発する青色レーザー光源と、
前記合成された第１の合成光と前記発した青色レーザー光とを合成した第２の合成光を生成する第２の光合成部と、
前記合成された第２の合成光に対し所定の波長の光をカットするフィルタと、
前記フィルタを通過した光に基づいて画像光を投写する投写部と、
を備え、
前記第１の光合成部は、
前記発した赤色レーザー光を合成方向へ反射するとともに、前記黄色蛍光体から前記合成方向へ照射された黄色蛍光を透過する第１のダイクロイックミラーと、
前記発した励起用レーザー光を前記黄色蛍光体へ反射するとともに、前記第１のダイクロイックミラーから前記合成方向へ前記赤色レーザー光及び前記黄色蛍光を透過する第２のダイクロイックミラーと、を備える、
投写型表示装置。
【発明の詳細な説明】
【技術分野】
【０００１】
本発明は、光源装置、投写型表示装置及び光生成方法に関し、特に、蛍光体とレーザー光源とを備える光源装置、投写型表示装置及び光生成方法に関する。
【背景技術】
【０００２】
近年、投写型表示装置であるプロジェクタの光源は、信頼性や安定性、立ち上がり起動の速さの点から、ランプから固体光源に推移しつつある。固体光源として、３色のすべてにレーザーを用いる方法、蛍光体とレーザーを用いる方法、蛍光体とＬＥＤを用いる方法などがある。例えば、大型スクリーンに投写するデジタルシネマ用のプロジェクタでは、高出力が求められるため、３色レーザー、もしくは蛍光体とレーザーを組み合わせた装置の利用が提案されている。
【０００３】
関連する技術として、例えば特許文献１や２が知られている。
【先行技術文献】
【特許文献】
【０００４】
【特許文献１】国際公開第２０１４／１９６０２０号
【特許文献２】国際公開第２０１４／１１５４９３号
【発明の概要】
【発明が解決しようとする課題】
【０００５】
固体光源の中では、青色レーザーは比較的安価で高出力あるが、緑色レーザー及び赤色レーザーは比較的高価で低出力であり、かつ、温度依存が大きいことから強力な冷却も必要となるため、３色のレーザーを用いると高価で大きい装置となる。そこで、関連する技術では、例えば黄色の蛍光体と青色レーザーを組み合わせることにより、高出力で比較的安価な小型の装置とする方法が提案されている（例えば特許文献１や２）。
【０００６】
上記のようにデジタルシネマでは、高出力が求められるとともに、色域についても規格化されている。図１は、デジタルシネマで規格化されている色域を示すｘｙ色度図であり、図２は、その色域に対応する波長の強度分布を示している。
【０００７】
図１に示すように、デジタルシネマでは、各単色が、実線の四角枠で表されるターゲット９０１ａ〜９０１ｃを満たす必要がある。関連する技術のように黄色蛍光体と青色レーザーを組み合わせた構成の場合、図１の実線のような色域９０２となり、この時の波長は、図２の実線で表される分光特性９０４となる。
【０００８】
関連する技術において、デジタルシネマの規格を満たすには、図２の分光特性９０４から点線で表される分光特性９０５のように、フィルタなどによって波長の一部帯域をカットする必要がある。そうすることによって、図１の点線で表される色域９０３のようにデジタルシネマのターゲット色域に色を合わせこむことができる。
【０００９】
このように、関連する技術では、黄色蛍光体と青色レーザーを用いることで装置として効率性を高めている。しかし、デジタルシネマなどのターゲットに色を合わせる補正が必要となるために効率が損なわれる。したがって、関連する技術では、エネルギー損失を小さくして高出力化を可能にすること、すなわちエネルギー効率を向上することが困難であるという課題がある。
【００１０】
本発明は、上述した課題に鑑み、エネルギー効率を向上することが可能な光源装置、投写型表示装置及び光生成方法を提供することを目的とする。
【課題を解決するための手段】
【００１１】
本発明に係る光源装置は、励起光によって励起された黄色蛍光を発する黄色蛍光体と、赤色レーザー光を発する赤色レーザー光源と、前記発した黄色蛍光と前記発した赤色レーザー光とを合成した第１の合成光を生成する第１の光合成部と、青色レーザー光を発する青色レーザー光源と、前記合成された第１の合成光と前記発した青色レーザー光とを合成した第２の合成光を生成する第２の光合成部と、を備えるものである。
【００１２】
本発明に係る投写型表示装置は、励起光によって励起された黄色蛍光を発する黄色蛍光体と、赤色レーザー光を発する赤色レーザー光源と、前記発した黄色蛍光と前記発した赤色レーザー光とを合成した第１の合成光を生成する第１の光合成部と、青色レーザー光を発する青色レーザー光源と、前記合成された第１の合成光と前記発した青色レーザー光とを合成した第２の合成光を生成する第２の光合成部と、前記合成された第２の合成光に対し所定の波長の光をカットするフィルタと、前記フィルタを通過した光に基づいて画像光を投写する投写部と、を備えるものである。
【００１３】
本発明に係る光生成方法は、励起光によって励起された黄色蛍光を黄色蛍光体から発し、赤色レーザー光源から赤色レーザー光を発し、前記発した黄色蛍光と前記発した赤色レーザー光とを合成した第１の合成光を生成し、青色レーザー光源から青色レーザー光を発し、前記合成された第１の合成光と前記発した青色レーザー光とを合成した第２の合成光を生成するものである。
【発明の効果】
【００１４】
本発明によれば、エネルギー効率を向上することが可能な光源装置、投写型表示装置及び光生成方法を提供することができる。
【図面の簡単な説明】
【００１５】
【図１】関連する技術の光の色域を示す色度図である。
【図２】関連する技術の光の波長の強度分布を示すグラフである。
【図３】実施の形態１に係る白色光生成部（光源装置）の概略構成を示す構成図である。
【図４】実施の形態１に係るプロジェクタの概略構成を示す構成図である。
【図５】実施の形態１に係る光の色域を示す色度図である。
【図６】実施の形態１に係る光の波長の強度分布を示すグラフである。
【図７】実施の形態２に係る白色光生成部（光源装置）の概略構成を示す構成図である。
【図８】実施の形態２に係るプロジェクタの概略構成を示す構成図である。
【図９】実施の形態２に係るトリクロイックミラーの特性を示すグラフである。
【図１０】実施の形態に係る光源装置の概要を示す構成図である。
【発明を実施するための形態】
【００１６】
（実施の形態の概要）
図１０は、実施の形態に係る光源装置の概要を示す構成図である。図１０に示すように、実施の形態に係る光源装置１００は、黄色蛍光体１０１、赤色レーザー光源１０２、第１の光合成部１０３、青色レーザー光源１０４、第２の光合成部１０５を備えている。
【００１７】
黄色蛍光体１０１は、励起光によって励起された黄色蛍光を発する蛍光体である。赤色レーザー光源１０２は、赤色レーザー光を発する光源である。第１の光合成部１０３は、黄色蛍光体１０１が発した黄色蛍光と赤色レーザー光源１０２が発した赤色レーザー光とを合成した第１の合成光を生成する。
【００１８】
青色レーザー光源１０４は、青色レーザー光を発する光源である。第２の光合成部１０５は、第１の光合成部１０３が合成した第１の合成光と青色レーザー光源１０４が発した青色レーザー光とを合成した第２の合成光を生成する
【００１９】
このように、実施の形態では、白色光を生成するために、黄色蛍光体と青色レーザーに加えて、赤色レーザーを用いることとした。これにより、例えば、デジタルシネマなどの色に合わせるために必要となる補正を抑えることができるため、エネルギー効率を向上することができる。
【００２０】
すなわち、実施の形態では、例えばデジタルシネマの各単色ターゲットに色度を合わせるために、赤色レーザーを色調整として用いる。これにより、黄色蛍光体の一部カットしなければならない波長帯域を取り込むことで、エネルギー損失を小さくし、高効率の装置を提供する。また、実施の形態では、赤色レーザーと蛍光体を合成するためにトリクロイックミラーを使用することで、部品点数が少なく、小型化した構成も併せて提供する。
【００２１】
（実施の形態１）
以下、図面を参照して実施の形態１について説明する。本実施の形態では、上記のように、光源として黄色蛍光体、青色レーザー、赤色レーザーを用いる。図３は、本実施の形態に係る白色光生成部（光源装置）の構成例を示し、図４は、この白色光生成部を含むプロジェクタの構成例を示している。
【００２２】
図３に示すように、本実施の形態に係る白色光生成部１は、主に、各色の光を生成する光源系として青色レーザーダイオードＬＤ−Ｅ、蛍光体ＹＰ、赤色レーザーダイオードＬＤ−Ｒ、青色レーザーダイオードＬＤ−Ｂを備え、これらの光を合成する合成光学系としてダイクロイックミラーＭ−１、Ｍ−２、Ｍ−３を備えている。ダイクロイックミラーＭ−１及びＭ−２は、黄色蛍光と赤色レーザー光とを合成した第１の合成光を生成する第１の光合成部であり、ダイクロイックミラーＭ−３は、第１の合成光と青色レーザー光とを合成した第２の合成光を生成する第２の光合成部である。
【００２３】
青色レーザーダイオードＬＤ−Ｅ（励起用レーザー光源）と、青色レーザーダイオードＬＤ−Ｅからの光（励起用レーザー光）を反射するダイクロイックミラーＭ−２（第２のダイクロイックミラー）との間には、レンズＬ−１及びＬ−２、拡散板Ｄ−１、ライトトンネルＬＴ−１、レンズＬ−３を備えている。
【００２４】
すなわち、蛍光体の励起用の光源として複数の青色レーザーダイオードＬＤ−Ｅを平面状に並べている。青色レーザーダイオードＬＤ−Ｅより放射された青色レーザー光をレンズＬ−１で平行光とする。レンズＬ−１で平行化（コリメート）された光は、レンズＬ−２にてライトトンネルＬＴ−１の入射開口部に集光する。レンズＬ−２とライトトンネルＬＴ−１の間には入射光を拡散させる拡散板Ｄ−１を配置する。
【００２５】
例えば、ライトトンネルＬＴ−１は上下左右内面を反射ミラーとした中空の光学素子であるが、中空部と同じ形状のガラスロッド（ロッドインテグレータ）を用いても良い。ライトトンネルＬＴ−１に入射した青色レーザー光はライトトンネル内面で複数回反射し、ライトトンネル出射部での照度分布を均一にする。ライトトンネルＬＴ−１を出射した青色レーザー光は、レンズＬ−３を透過し、ダイクロイックミラーＭ−２に入射する。
【００２６】
蛍光体ＹＰと、蛍光体ＹＰ及び赤色レーザーダイオードＬＤ−Ｒからの光を反射するダイクロイックミラーＭ−３との間には、レンズＬ−５及びＬ−４、ダイクロイックミラーＭ−１及びＭ−２、レンズＬ−７を備えている。
【００２７】
ダイクロイックミラーＭ−１は、黄色透過−赤色長波長帯域反射の特性を有しており、蛍光体ＹＰの黄色光の波長帯域は透過し、赤色レーザーダイオードＬＤ−Ｒの赤色光の波長帯域は反射する。ダイクロイックミラーＭ−２は、青色反射−黄色透過の特性を有しており、励起光である青色レーザーダイオードＬＤ−Ｅの青色光の波長帯域は反射し、蛍光体ＹＰ及び赤色レーザーダイオードＬＤ−Ｒの黄色光及び赤色光の波長帯域は透過する。このため、ダイクロイックミラーＭ−２は、入射された青色レーザー光をダイクロイックミラーＭ−１側へ反射し、反射した光はダイクロイックミラーＭ−１を透過し、さらにレンズＬ−４、Ｌ−５、Ｌ−６を透過して蛍光体ＹＰを照明する。蛍光体ＹＰは、青色光で励起された黄色光を、レンズＬ−６、Ｌ−５、Ｌ−４を介してダイクロイックミラーＭ−１へ放射する。
【００２８】
赤色レーザーダイオードＬＤ−Ｒと、赤色レーザーダイオードＬＤ−Ｒからの光を反射するダイクロイックミラーＭ−１（第１のダイクロイックミラー）との間には、レンズＬ−２１及びＬ−２２、ディフューザーＤ−２１、レンズＬ−２３を備えている。
【００２９】
すなわち、赤色用の光源として、複数の赤色レーザーダイオードＬＤ−Ｒを平面状に並べている。赤色レーザーダイオードＬＤ−Ｒより放射された赤色レーザー光をレンズＬ−２１で平行光とする。レンズＬ−２１で平行化（コリメート）された光は、レンズＬ−２２で集光される。レンズＬ−２２による集光部（焦点）付近にディフューザーＤ−２１を配置し、赤色レーザー光を拡散させる。ディフューザーＤ−２１により拡散した赤色光は、レンズＬ−２３を透過し、ダイクロイックミラーＭ−１に入射する。
【００３０】
ダイクロイックミラーＭ−１は、第１の合成方向（ダイクロイックミラーＭ−３へ向かう方向）へ蛍光体ＹＰからの黄色光を透過するとともに、レンズＬ−２３から入射された赤色光をダイクロイックミラーＭ−２（第１の合成方向）へ反射することで、黄色光と赤色光を合成する。ダイクロイックミラーＭ−２は、黄色光と赤色光が合成された光を第１の合成方向へ透過し、さらにレンズＬ−７を透過して、ダイクロイックミラーＭ−３に入射する。
【００３１】
青色レーザーダイオードＬＤ−Ｂと、青色レーザーダイオードＬＤ−Ｂ、蛍光体ＹＰ及び赤色レーザーダイオードＬＤ−Ｒからの光を出射するライトトンネルＬＴ−２との間には、レンズＬ−１１及びＬ−１２、ディフューザーＤ−１１、レンズＬ−１３、ダイクロイックミラーＭ−３、レンズＬ−８を備えている。
【００３２】
すなわち、青色用の光源として、複数の青色レーザーダイオードＬＤ−Ｂを平面状に並べている。青色レーザーダイオードＬＤ−Ｂより放射された青色レーザー光をレンズＬ−１１で平行光とする。レンズＬ−１１で平行化（コリメート）された光は、レンズＬ−１２で集光される。Ｌ−１２によるこの集光部（焦点）付近にディフューザーＤ−１１を配置し、青色レーザー光を拡散させる。ディフューザーＤ−１１により拡散した青色光は、レンズＬ−１３を透過し、ダイクロイックミラーＭ−３に入射する。
【００３３】
ダイクロイックミラーＭ−３は、青色透過−黄色反射の特性を有しており、青色レーザーダイオードＬＤ−Ｂの青色光の波長帯域は透過し、蛍光体ＹＰ及び赤色レーザーダイオードＬＤ−Ｒの黄色光及び赤色光の波長帯域は透過する。このため、ダイクロイックミラーＭ−３は、第２の合成方向（ライトトンネルＬＴ−２へ向かう方向）へレンズＬ−１３から入射された青色光を透過するとともに、レンズＬ−７から入射された黄色光と赤色光の合成光をレンズＬ−８（第２の合成方向）へ反射することで、青色光と黄色光と赤色光を合成する。ダイクロイックミラーＭ−３で合成された光は、レンズＬ−８を透過してライトトンネルＬＴ−２に入射する。ライトトンネルＬＴ−２に入射する光は、黄色光と青色光と赤色光が加算された光であり、それぞれライトトンネルＬＴ−２で均一化されて白色の光となって出射する。
【００３４】
図４に示すように、本実施の形態に係るプロジェクタ１０は、主に、図３の白色光生成部１、生成された白色光を反射・分光するミラーＭ−３１、ＴＩＲプリズムＴＰ−３１及びカラープリズムＣＰ−３１、分光された光から画像光を生成するデジタルミラーデバイス（ＤＭＤ）ＭＤ−Ｇ（ＭＤ−Ｒ、ＭＤ−Ｂ）、生成された画像光を投写する投写レンズＰＬ−３１を備えている。
【００３５】
また、白色光生成部１のライトトンネルＬＴ−２とミラーＭ−３１の間には、レンズＬ−３１及びＬ−３２、フィルタＮＦ−１を備え、ミラーＭ−３１とＴＩＲプリズムＴＰ−３１の間には、レンズＬ−３３を備えている。
【００３６】
ライトトンネルＬＴ−２を出射した白色光は、レンズＬ−３１、Ｌ−３２を透過し、フィルタＮＦ−１により特定の波長をカットした後、ミラーＭ−３１に入射する。ミラーＭ−３１は入射された白色光を反射し、反射した光はレンズＬ−３３を透過してＴＩＲプリズムＴＰ−３１に入射する。ＴＩＲプリズムＴＰ−３１に入射した光は、プリズム内で全反射し、カラープリズムＣＰ−３１に入射する。カラープリズムＣＰ−３１は、白色光を緑色光、赤色光、青色光に分光するプリズムである。図４では、緑色光の光路のみ示し、赤色光及び青色光の光路は省略している。
【００３７】
カラープリズムＣＰ−３１で分光された緑色光は、緑色光用のデジタルミラーデバイスＭＤ−Ｇへ入射する。デジタルミラーデバイスＭＤ−Ｇへ入射した緑色光は、デジタルミラーデバイスＭＤ−Ｇで画像の画素に合わせて光線角度を変えて反射し、再びカラープリズムＣＰ−３１へ入射する。カラープリズムＣＰ−３１で分光された赤色光と青色光も同様に、それぞれ赤色光用のデジタルミラーデバイスＭＤ−Ｒ（不図示）、青色光用のデジタルミラーデバイスＭＤ−Ｂ（不図示）へ入射し、デジタルミラーデバイスＭＤ−Ｒ及びＭＤ−Ｂで画像の画素に合わせて光線角度を変えて反射し、再びカラープリズムＣＰ−３１へ入射する。
【００３８】
カラープリズムＣＰ−３１へ入射した緑色光、赤色光、青色光はカラープリズムＣＰ−３１で合成され、合成された光はＴＩＲプリズムＴＰ−３１へ入射する。カラープリズムＣＰ−３１から入射した光は、ＴＩＲプリズムＴＰ−３１を透過し、投写レンズＰＬ−３１へ入射し、投写レンズＰＬ−３１からスクリーンへ拡大投影される。
【００３９】
本実施の形態の効果について説明する。関連する技術のように、黄色蛍光体と青色レーザーダイオードの組み合わせた場合、スクリーンに投影される光は図２の実線のような分光特性９０４となる。例えば図４のフィルタＮＦ−１のように波長の一部をカットするフィルタをライトトンネルＬＴ−２とカラープリズムＣＰ−３１の間に配置することで、デジタルシネマの各単色（青、赤、緑）のターゲットに調整すると、図２の破線のような分光特性９０５になる。
【００４０】
図５は、本実施の形態の色域を示しており、図６は、その色域に対応する波長の強度分布を示している。本実施の形態では赤色レーザーダイオードを追加することで図５の実線のような色域５０２となり、図６の実線のような分光特性５０４となる。これをデジタルシネマのターゲット色に調整すると図５の破線のような色域５０３となり、図６の破線のような分光特性５０５になる。本実施の形態では、関連する技術のような図２の長波長側帯域のカット分を取り込むために、図６のように赤帯域の長波長をＬＤで補うことを特長とする。そのため、本実施の形態では図６のように長波長側の色調整によるカットは不要となる。なお、本実施の形態で合成する黄色蛍光と赤色レーザー光のスペクトル成分は、一部重なる場合も想定される。例えば、黄色蛍光が、長波長側のスペクトル成分を有するような場合である。その場合は、黄色蛍光と赤色レーザー光とを合成する際に、黄色蛍光の一部のスペクトル成分はカットされることになる。本実施の形態における合成は、このように、一部のスペクトル成分がカットされた黄色蛍光と赤色レーザー光との合成を含むものとする。
【００４１】
本実施の形態の構成をとることで、同程度の光量を得るために、黄色蛍光体の励起エネルギーを６割程度に抑えることができる。また、ターゲット色調整でのエネルギー損失も４割程度から１割近くに改善することができる。結果として装置全体の必要光量を６〜７割程度に抑えることができる。さらに副次的な効果として、赤色レーザーダイオードのみの赤色発光に対して波長帯域の広い蛍光光を混ぜることでスペックルの軽減効果も得ることができる。
【００４２】
（実施の形態２）
以下、図面を参照して実施の形態２について説明する。本実施の形態では、トリクロイックミラーを使用する例について説明する。図７は、本実施の形態に係る白色光生成部（光源装置）の構成例を示し、図８は、この白色光生成部を含むプロジェクタの構成例を示している。
【００４３】
図７に示すように、本実施の形態に係る白色光生成部１は、主に、各色の光を生成する光源系として青色レーザーダイオードＬＤ−Ｅ、蛍光体ＹＰ、赤色レーザーダイオードＬＤ−Ｒ、青色レーザーダイオードＬＤ−Ｂを備え、これらの光を合成する合成光学系としてダイクロイックミラーＭ−３、トリクロイックミラーＭ−４を備えている。
【００４４】
本実施の形態では、実施の形態１と比べて、ダイクロイックミラーＭ−１及びＭ−２の代わりに、トリクロイックミラーＭ−４を備えている。その他の構成については、実施の形態１と同様であるため、適宜説明を省略する。
【００４５】
すなわち、励起用の光源である青色レーザーダイオードＬＤ−Ｅより放射された青色レーザー光は、レンズＬ−１及びＬ−２、拡散板Ｄ−１、レンズＬ−３を透過し、トリクロイックミラーＭ−４に入射する。また、赤色レーザーダイオードＬＤ−Ｒより放射された赤色レーザー光は、レンズＬ−２１及びＬ−２２、ディフューザーＤ−２１、レンズＬ−２３を透過し、トリクロイックミラーＭ−４に入射する。
【００４６】
トリクロイックミラーＭ−４は、青色反射−黄色透過−赤色長波長帯域反射の特性を有しており、励起光である青色レーザーダイオードＬＤ−Ｅの波長帯域は反射し、蛍光体ＹＰの黄色光の波長帯域は透過し、赤色レーザーダイオードＬＤ−Ｒの赤色光の波長帯域は反射する。
【００４７】
トリクロイックミラーＭ−４の分光透過率を図９に示す。図９における点線６０１が励起光ＬＤ−ＥとＹＰ蛍光光とＬＤ−Ｒの分光波形を示しており、実線６０２がトリクロイックミラーＭ−４の分光透過率となっている。
【００４８】
このため、トリクロイックミラーＭ−４は、レンズＬ−３から入射された青色レーザー光を蛍光体ＹＰ側へ反射し、反射した光はレンズＬ−４、Ｌ−５、Ｌ−６を透過して蛍光体ＹＰを照明する。蛍光体ＹＰは、青色光で励起された黄色光を、レンズＬ−６、Ｌ−５、Ｌ−４を介してトリクロイックミラーＭ−４へ放射する。さらに、トリクロイックミラーＭ−４は、第１の合成方向へ蛍光体ＹＰからの黄色光を透過するとともに、レンズＬ−２３から入射された赤色光をダイクロイックミラーＭ−３（第１の合成方向）へ反射することで、黄色光と赤色光を合成する。黄色光と赤色光が合成された光は、レンズＬ−７を透過して、ダイクロイックミラーＭ−３に入射する。
【００４９】
青色レーザーダイオードＬＤ−Ｂより放射された青色レーザー光は、レンズＬ−１１及びＬ−１２、ディフューザーＤ−１１、レンズＬ−１３を透過して、ダイクロイックミラーＭ−３に入射する。ダイクロイックミラーＭ−３は、レンズＬ−１３から入射された青色光と、レンズＬ−７から入射された黄色光及び赤色光とを合成し、合成された光は、レンズＬ−８、ライトトンネルＬＴ−２を介して白色の光となって出射する。
【００５０】
図８に示すように、本実施の形態に係るプロジェクタ１０は、実施の形態１と同様に、主に、図７の白色光生成部１、生成された白色光を反射・分光するミラーＭ−３１、ＴＩＲプリズムＴＰ−３１及びカラープリズムＣＰ−３１、分光された光から画像光を生成するデジタルミラーデバイスＭＤ−Ｇ（ＭＤ−Ｒ、ＭＤ−Ｂ）、生成された画像光を投写する投写レンズＰＬ−３１を備えている。
【００５１】
すなわち、実施の形態１と同様に、ライトトンネルＬＴ−２を出射した白色光は、レンズＬ−３１、Ｌ−３２を透過し、フィルタＮＦ−１により特定の波長をカットした後、ミラーＭ−３１で反射し、ＴＩＲプリズムＴＰ−３１、カラープリズムＣＰ−３１を介して、デジタルミラーデバイスＭＤ−Ｇ、ＭＤ−Ｒ、ＭＤ−Ｂに入射する。さらに、デジタルミラーデバイスＭＤ−Ｇ、ＭＤ−Ｒ、ＭＤ−Ｂで反射した光は、カラープリズムＣＰ−３１、ＴＩＲプリズムＴＰ−３１を介して、投写レンズＰＬ−３１からスクリーンへ拡大投影される。
【００５２】
以上のように、本実施の形態では、実施の形態１のダイクロイックミラーＭ−１及びＭ−２の代わりに、トリクロイックミラーＭ−４を備えた。これにより、実施の形態１と同様に、エネルギー効率を向上できるとともに、部品点数を削減できるため、装置を小型化することができる。
【００５３】
なお、本発明は上記実施の形態に限られたものではなく、趣旨を逸脱しない範囲で適宜変更することが可能である。
【符号の説明】
【００５４】
１      白色光生成部
１０    プロジェクタ
１００  光源装置
１０１  黄色蛍光体
１０２  赤色レーザー光源
１０３  第１の光合成部
１０４  青色レーザー光源
１０５  第２の光合成部
ＬＤ−Ｅ  青色レーザーダイオード
ＬＤ−Ｒ  赤色レーザーダイオード
ＬＤ−Ｂ  青色レーザーダイオード
ＹＰ      蛍光体
Ｌ−１〜Ｌ−８  レンズ
Ｌ−１１〜Ｌ−１３  レンズ
Ｌ−２１〜Ｌ−２３  レンズ
Ｄ−１    拡散板
Ｄ−１１、Ｄ−２１  ディフューザー
ＬＴ−１、ＬＴ−２  ライトトンネル
Ｍ−１〜Ｍ−３  ダイクロイックミラー
Ｍ−４      トリクロイックミラー
Ｍ−３１  ミラー
Ｌ−３１〜Ｌ−３３  レンズ
ＮＦ−１  フィルタ
ＣＰ−３１  カラープリズム
ＴＰ−３１  ＴＩＲプリズム
ＰＬ−３１  投写レンズ
ＭＤ−Ｇ  デジタルミラーデバイス（ＤＭＤ）
【図１】
0006537103.tif 000002
【図２】
0006537103.tif 000003
【図３】
0006537103.tif 000004
【図４】
0006537103.tif 000005
【図５】
0006537103.tif 000006
【図６】
0006537103.tif 000007
【図７】
0006537103.tif 000008
【図８】
0006537103.tif 000009
【図９】
0006537103.tif 000010
【図１０】
0006537103.tif 000011